(57)【要約】      （修正有）【課題】簡単な操作で、シリンダ先端部の骨ペーストを混練する。【解決手段】医療用ペースト混練注入器は、シリンダ２、ピストン３、固定部材４、及び押出用ストッパを備える。ピストン３は、仕切り具２１、シャフト、攪拌部２３及びハンドル部２４を備えている。シャフトは、仕切り具２１がシリンダ２の開口部を塞ぐ位置に固定部材４にて固定された状態で次の長さになるように規定されている。すなわち、シャフトの長さは、攪拌部２３が縮径部１７の軸線方向のエリア内に入るまでシャフトを押し入れた際に、ハンドル部２４の前端２４Ａと、仕切り具２１の後端２１Ｂが当接する長さに規制されている。【選択図】図６
2019195433.tif 000002
【特許請求の範囲】
【請求項１】
筒状の本体部と、
前記本体部よりも前方側に位置し、前記本体部よりも内径が小さい筒状のノズル部と、
前記本体部と前記ノズル部との間に設けられるとともに前記本体部から前記ノズル部に向かうにつれて内径が縮径する縮径部と、を有するシリンダと、
前記本体部の内部を前記シリンダの軸線の方向に摺動可能な仕切り具と、
前記仕切り具の中心を貫く貫通孔に挿通され、前記貫通孔を出入りする前記軸線の方向への往復運動と前記軸線を中心とする回転運動とが可能なシャフトと、
前記シャフトの前端であって前記シリンダ内に位置する部分に設けられた攪拌部と、
前記シャフトの後端であって前記シリンダ外に位置する部分に固定されるハンドル部と、
前記仕切り具を前記本体部の後端に設けられた開口部に固定するための固定具と、
を備えた医療用ペースト混練注入器であって、
前記シャフトの長さは、前記仕切り具が前記開口部を塞ぐ位置に前記固定具にて固定された状態で、前記攪拌部が前記シリンダの前記縮径部の前記軸線の方向のエリア内に入るまで前記シャフトを前記シリンダ内に押し入れた際に、前記ハンドル部の前端と、前記仕切り具の後端又は前記固定具の後端が当接する長さに規制されていることを特徴とする医療用ペースト混練注入器。
【請求項２】
前記ハンドル部の前端と、前記仕切り具の後端が当接する場合において、
前記ハンドル部の前端と、前記仕切り具の後端が当接した際に、前記仕切り具の後端の少なくとも一部は、前記ハンドル部の前端には覆われずに視認可能な構成とされていることを特徴とする請求項１に記載の医療用ペースト混練注入器。
【請求項３】
前記ハンドル部の前端と、前記固定具の後端が当接する場合において、
前記ハンドル部の前端と、前記固定具の後端が当接した際に、前記固定具の後端の少なくとも一部は、前記ハンドル部の前端には覆われずに視認可能な構成とされていることを特徴とする請求項１に記載の医療用ペースト混練注入器。
【請求項４】
前記ハンドル部の前端と、前記仕切り具の後端が当接する場合において、
前記シャフトの色は、前記仕切り具の色と異なり、かつ
前記シャフトの色は、前記ハンドル部の色と異なることを特徴とする請求項１又は２に記載の医療用ペースト混練注入器。
【請求項５】
前記ハンドル部の前端と、前記固定具の後端が当接する場合において、
前記シャフトの色は、前記固定具の色と異なり、かつ
前記シャフトの色は、前記ハンドル部の色と異なることを特徴とする請求項１又は３に記載の医療用ペースト混練注入器。
【発明の詳細な説明】
【技術分野】
【０００１】
本発明は医療用ペースト混練注入器に関する。
【背景技術】
【０００２】
医療分野等において、医療用ペースト（例えば、リン酸カルシウム系の骨ペーストなど）を混練して注入する医療用ペースト混練注入器が実用化されている（特許文献１参照）。
医療用ペースト混練注入器を用いて骨ペーストを混練する際には、ハンドル部を操作して軸線を中心とするシャフトの回転運動と軸線方向への往復運動とを複合的に行う。これにより、シャフトの先端に設けられた攪拌部によって骨ペーストが混練される。
【先行技術文献】
【特許文献】
【０００３】
【特許文献１】特開２０１６−３６４０２号公報
【発明の概要】
【発明が解決しようとする課題】
【０００４】
ところで、シリンダ先端部は骨ペーストが混練されにくい箇所である。この部分の混練が不十分の場合、骨ペーストの押出しが困難となるおそれがある。このため、シリンダ先端部の骨ペーストが確実に混練されているかを確認する必要がある。
しかし、混練する際には、シリンダの内面に骨ペーストが付着するため、シリンダ内の攪拌部の位置を目視で確認することが難しかった。
本発明は、上記実情に鑑みてなされたものであり、より、簡単な操作で、シリンダ先端部の骨ペーストを混練することを目的とする。本発明は、以下の形態として実現することが可能である。
【課題を解決するための手段】
【０００５】
（１）筒状の本体部と、
前記本体部よりも前方側に位置し、前記本体部よりも内径が小さい筒状のノズル部と、
前記本体部と前記ノズル部との間に設けられるとともに前記本体部から前記ノズル部に向
かうにつれて内径が縮径する縮径部と、を有するシリンダと、
前記本体部の内部を前記シリンダの軸線の方向に摺動可能な仕切り具と、
前記仕切り具の中心を貫く貫通孔に挿通され、前記貫通孔を出入りする前記軸線の方向への往復運動と前記軸線を中心とする回転運動とが可能なシャフトと、
前記シャフトの前端であって前記シリンダ内に位置する部分に設けられた攪拌部と、
前記シャフトの後端であって前記シリンダ外に位置する部分に固定されるハンドル部と、
前記仕切り具を前記本体部の後端に設けられた開口部に固定するための固定具と、
を備えた医療用ペースト混練注入器であって、
前記シャフトの長さは、前記仕切り具が前記開口部を塞ぐ位置に前記固定具にて固定された状態で、前記攪拌部が前記シリンダの前記縮径部の前記軸線の方向のエリア内に入るまで前記シャフトを前記シリンダ内に押し入れた際に、前記ハンドル部の前端と、前記仕切り具の後端又は前記固定具の後端が当接する長さに規制されていることを特徴とする医療用ペースト混練注入器。
【０００６】
この構成では、ハンドル部の前端と、仕切り具の後端又は固定具の後端を当接させるだけで、シリンダの縮径部の軸線方向のエリア、すなわち、シリンダの先端部に攪拌部が到達するから、簡単な操作で、シリンダ先端部の骨ペーストを混練することができる。
【０００７】
（２）前記ハンドル部の前端と、前記仕切り具の後端が当接する場合において、
前記ハンドル部の前端と、前記仕切り具の後端が当接した際に、前記仕切り具の後端の少なくとも一部は、前記ハンドル部の前端には覆われずに視認可能な構成とされていることを特徴とする（１）に記載の医療用ペースト混練注入器。
【０００８】
作業者がハンドル部を操作してペースト原料と液体とを混練する際には、シリンダを一方の手で持ち、他方の手でハンドル部を握って、ハンドル部を操作する。この際に、ハンドル部を握った他方の手には力を入れる必要があるから、他方の手は、一方の手よりも作業者に近い位置となる。すると、混練の作業中は、作業者の視点は、ハンドル部側からの視点、即ち後側からの視点となる。この場合において、ハンドル部の前端と、仕切り具の後端とが当接した際に、仕切り具の後端が全てハンドル部の前端で覆われてしまうと、ハンドル部側から見て、ハンドル部の前端と仕切り具の後端との当接状態を目視にて確認しにくい。
本構成では、ハンドル部の前端と仕切り具の後端とが当接した際に、仕切り具の後端の少なくとも一部は、ハンドル部の前端には覆われずに視認可能とされているから、当接状態を確認しやすくなる。
【０００９】
（３）前記ハンドル部の前端と、前記固定具の後端が当接する場合において、
前記ハンドル部の前端と、前記固定具の後端が当接した際に、前記固定具の後端の少なくとも一部は、前記ハンドル部の前端には覆われずに視認可能な構成とされていることを特徴とする（１）に記載の医療用ペースト混練注入器。
【００１０】
作業者がハンドル部を操作してペースト原料と液体とを混練する際には、シリンダを一方の手で持ち、他方の手でハンドル部を握って、ハンドル部を操作する。この際に、ハンドル部を握った他方の手には力を入れる必要があるから、他方の手は、一方の手よりも作業者に近い位置となる。すると、混練の作業中は、作業者の視点は、ハンドル部側からの視点、即ち後側からの視点となる。この場合において、ハンドル部の前端と、固定具の後端とが当接した際に、固定具の後端が全てハンドル部の前端で覆われてしまうと、ハンドル部側から見て、ハンドル部の前端と固定具の後端との当接状態を目視にて確認しにくい。
本構成では、ハンドル部の前端と固定具の後端とが当接した際に、固定具の後端の少なくとも一部は、ハンドル部の前端には覆われずに視認可能とされているから、当接状態を確認しやすくなる。
【００１１】
（４）前記ハンドル部の前端と、前記仕切り具の後端が当接する場合において、
前記シャフトの色は、前記仕切り具の色と異なり、かつ
前記シャフトの色は、前記ハンドル部の色と異なることを特徴とする（１）又は（２）に記載の医療用ペースト混練注入器。
【００１２】
ハンドル部の前端と仕切り具の後端とが当接していない場合には、ハンドル部と仕切り具との間にシャフトが色違いで容易に視認されて、当接していない状態を容易に確認できる。逆に、ハンドル部の前端と仕切り具の後端と当接している場合には、シャフトが見えない。このように本構成では、色違いのシャフトを用いることによってハンドル部の前端と仕切り具の後端との当接状態が判別しやすくなる。
【００１３】
（５）前記ハンドル部の前端と、前記固定具の後端が当接する場合において、
前記シャフトの色は、前記固定具の色と異なり、かつ
前記シャフトの色は、前記ハンドル部の色と異なることを特徴とする（１）又は（３）に記載の医療用ペースト混練注入器。
【００１４】
ハンドル部の前端と固定具の後端とが当接していない場合には、ハンドル部と固定具との間にシャフトが色違いで容易に視認されて、当接していない状態を容易に確認できる。逆に、ハンドル部の前端と固定具の後端と当接している場合には、シャフトが見えない。このように本構成では、色違いのシャフトを用いることによってハンドル部の前端と固定具の後端との当接状態が判別しやすくなる。
【図面の簡単な説明】
【００１５】
【図１】本実施形態における医療用ペースト混練注入器の構成を示す断面図である。
【図２】本実施形態における医療用ペースト混練注入器を示す側面図である。
【図３】平坦部を下側に配置した押出用ストッパを示す斜視図である。
【図４】平坦部を上側に配置した押出用ストッパを示す斜視図である。
【図５】攪拌部がシリンダの縮径部の軸線方向のエリア外にある状態を示す断面図である。
【図６】攪拌部がシリンダの縮径部の軸線方向のエリア内にある状態を示す断面図である。
【図７】攪拌部がシリンダの縮径部の軸線方向のエリア内にあるときに、ハンドル部側から視た医療用ペースト混練注入器の部分斜視図である。
【図８】押出用ストッパの装着方法を示す説明図である。
【図９】ペースト注入時における医療用ペースト混練注入器を示す断面図である。
【発明を実施するための形態】
【００１６】
以下、医療用ペースト混練注入器１の一実施形態を図面を参照しつつ詳細に説明する。なお、以下の説明においては、医療用ペースト混練注入器１のシリンダ２のノズル部１３側（図１の左側）を前側とし、医療用ペースト混練注入器１のハンドル部２４側（図１の右側）を後側とする。
図１は、本実施形態における医療用ペースト混練注入器１の概略構成を示す断面図であり、図２は、その医療用ペースト混練注入器１を示す側面図である。
【００１７】
図１，２に示されるように、本実施形態の医療用ペースト混練注入器１は、シリンダ２、ピストン３、固定部材４、及び押出用ストッパ５等を備える。医療用ペースト混練注入器１は、例えばリン酸カルシウムを主成分とする骨ペースト（医療用ペースト）を混練して注入するための器具である。なお、骨ペーストは、例えば白色のペーストである。
【００１８】
シリンダ２は、後端に開口部１０を有する円筒体１１（「筒状の本体部」に相当）を備えている。円筒体１１の内部には骨ペーストが保持される。円筒体１１の後端には、フランジ部１２が備えられ、円筒体１１の前方には、円筒体１１よりも外径及び内径のいずれも小さい筒状のノズル部１３が備えている。円筒体１１とノズル部１３との間は、縮径部１７により繋がれている。ノズル部１３は、その外周にネジ１４を有し、ネジ１４には略円柱形状をなすキャップ１５が螺着されている。また、そのキャップ１５を取り外すことで、ノズル部１３には、チューブ６３や注射針等を取り付けることができる。キャップ１５は、円筒体１１の径と同等もしくは若干大きく形成される。フランジ部１２は、円筒体１１の開口端側から外側に向かって突出する長円形の鍔状に形成されており、長円形の湾曲辺１６が円筒体１１の外部に大きく張り出している。
【００１９】
ピストン３は、仕切り具２１、シャフト２２、攪拌部２３及びハンドル部２４を備えている。固定部材４（本発明の「固定具」に相当）は、円筒体１１のフランジ部１２に着脱可能に固定されるとともに、円筒体１１の開口部１０側に配置された仕切り具２１に係合する。ここでは、仕切り具２１の係合部２１Ａの周囲を取り囲むような形で固定部材４の係合部４Ａが係合する。この結果、円筒体１１の開口端にて仕切り具２１が回転不能及び前後進不能に固定される。
【００２０】
仕切り具２１は、シリンダ２の内側と外側とを仕切るとともに、シリンダ２の内部をシリンダ２の軸線方向Ｄ１に摺動可能な合成樹脂製の部品である。仕切り具２１は、その中心を貫くように貫通孔２６が形成されており、この貫通孔２６にシャフト２２が挿入されている。
【００２１】
シャフト２２は、骨ペーストとは異なる色（例えば緑色）で着色された合成樹脂製の丸棒である。また、シャフト２２の色は、仕切り具２１の色と異なり、かつシャフト２２の色は、ハンドル部２４の色とも異なる。本実施形態では、仕切り具２１及びハンドル部２４の色は、いずれも白色とされている。
シャフト２２は、仕切り具２１の貫通孔２６を出入りすることで、シリンダ２の軸線方向Ｄ１の往復運動と、軸線を中心とする円周方向の回転運動とが可能に設けられている。シャフト２２は、仕切り具２１がシリンダ２の開口部１０を塞ぐ位置に固定部材４にて固定された状態で次の長さになるように規定されている。すなわち、シャフト２２の長さは、図５，６に示されるように、攪拌部２３が縮径部１７の軸線方向Ｄ１のエリア１７Ａ内に入るまでシャフト２２を押し入れた際に、ハンドル部２４の前端２４Ａと、仕切り具２１の後端２１Ｂが当接する長さに規制されている。
シャフト２２の前端２８であって、シリンダ２の内部に位置する部分には、放射状に突出する複数の羽根を有する攪拌部２３が設けられている。シャフト２２の後端２９であって、シリンダ２の外部に位置する部分には、ハンドル部２４が固定されている。ハンドル部２４は、例えばポリカーボネート等の樹脂製である。ハンドル部２４は、略Ｔ字状をなしている。ハンドル部２４の前端２４Ａの径は、シャフト２２の径よりも大きくされている。他方、ハンドル部２４の前端２４Ａの径は、仕切り具２１の後端２１Ｂの径よりも小さくされている。
【００２２】
図１，８，９に示されるように、押出用ストッパ５は、仕切り具２１とハンドル部２４との間隔を保持するスペーサとして機能する。押出用ストッパ５は、シャフト２２の外周面３０に着脱可能な状態で取り付けられる。図３，４に示されるように、押出用ストッパ５は、シャフト２２の外周面３０に対して嵌着される第１嵌着凹部３３Ａ（凹状の内面）、及び第２嵌着凹部３３Ｂ（凹状の内面）が形成されたストッパ本体３５を備える。押出用ストッパ５は、更に、ストッパ本体３５の外面５３に突設された指掛け部５２を備える。押出用ストッパ５は、ストッパ本体３５の前端面３５Ａが、仕切り具２１の後端２１Ｂに当接するとともに、ストッパ本体３５の後端面３５Ｂが、ハンドル部２４の前端２４Ａに当接した状態で、シャフト２２に嵌着される（図８，９等参照）。本実施形態の押出用ストッパ５は、シャフト２２やハンドル部２４と同じ樹脂材料、具体的にはポリカーボネートを用いて形成されている。
【００２３】
押出用ストッパ５のストッパ本体３５において、軸線方向Ｄ１に離れた両端には、シャフト２２の外周面３０を挟持する第１挟持片４５Ａ，４５Ａ及び第２挟持片４５Ｂ，４５Ｂが形成されている。より詳しくは、ストッパ本体３５において軸線方向Ｄ１の前端を含む位置に一対の第１挟持片４５Ａ，４５Ａが設けられるとともに、軸線方向Ｄ１の後端を含む位置に一対の第２挟持片４５Ｂ，４５Ｂが設けられている。一対の第１挟持片４５Ａ，４５Ａの内面は、第１嵌着凹部３３Ａとされている。第１嵌着凹部３３Ａは、シャフト２２の外周面３０と同じ曲率で湾曲した円弧状に形成され、その円弧の角度が半円よりも大きな凹面となっている。一対の第２挟持片４５Ｂ，４５Ｂの内面は、第２嵌着凹部３３Ｂとされている。第２嵌着凹部３３Ｂは、シャフト２２の外周面３０と同じ曲率で湾曲した円弧状に形成され、その円弧の角度が半円よりも大きな凹面となっている。第１挟持片４５Ａ，４５Ａは、可撓性を有し、第１挟持片４５Ａ，４５Ａの先端側を撓ませることで第１嵌着凹部３３Ａにシャフト２２が嵌め込まれる。同様に、第２挟持片４５Ｂ，４５Ｂは、可撓性を有し、第２挟持片４５Ｂ，４５Ｂの先端側を撓ませることで第２嵌着凹部３３Ｂにシャフト２２が嵌め込まれる。このようにして、シャフト２２の外周面３０に対して、第１嵌着凹部３３Ａ及び第２嵌着凹部３３Ｂが嵌着する。第１嵌着凹部３３Ａと第２嵌着凹部３３Ｂとは、互いに軸線方向Ｄ１に離れて設けられている。
【００２４】
ストッパ本体３５において、第１挟持片４５Ａ，４５Ａと第２挟持片４５Ｂ，４５Ｂの軸線方向Ｄ１における間は、連結支持部４７とされている。連結支持部４７の内面４８は、シャフト２２の外周面３０と同じ曲率で湾曲した半円弧状の凹面となっている。押出用ストッパ５の装着時には、連結支持部４７の内面４８に沿ってシャフト２２の外周面３０が配置される。連結支持部４７の内面４８には、シャフト２２の外周面３０が接するだけであり、シャフト２２の外周面３０を嵌着する機能は有していない。
【００２５】
指掛け部５２は、ストッパ本体３５の外面５３において軸線方向Ｄ１に沿って延びるように形成されたリブである。これらのリブは、ともにストッパ本体３５の長手方向の全体にわたり形成されている。また、これらのリブは、先端に行くほど細くなる断面形状を有している。図４に示されるように、押出用ストッパ５の外面５３側には、文字の印刷スペースとなる平坦面を有する平坦部６０が設けられている。指掛け部５２は、平坦部６０の両端縁が軸線方向Ｄ１と直交する幅方向に張り出すことで形成されている。なお、上記一対のリブは、平坦部６０の両側縁に一体形成されている。シャフト２２の外周面３０に装着された押出用ストッパ５は、仕切り具２１をシャフト２２とともにシリンダ２の内部に押し込んで医療用ペーストをシリンダ２から吐出させる（図９参照）。
【００２６】
次に、上記のように構成した医療用ペースト混練注入器１の作用効果について説明する。
【００２７】
先ず、シリンダ２の内部に、予めペーストの原料の粉体を収納しておく。医者や看護師などの作業者は、シリンダ２の円筒体１１のノズル部１３に螺着されたキャップ１５を取り外す。そして、作業者は、ノズル部１３からシリンダ２内にペーストの原料を硬化させるための液体を注入し、再びノズル部１３にキャップ１５を締め付ける。更に、作業者は、ストッパ本体３５の指掛け部５２の部分に指を掛けて引っ張ることにより、押出用ストッパ５をシャフト２２の外周面３０から取り外す。
【００２８】
その後、作業者は、ハンドル部２４を操作することにより、シリンダ２の軸線を中心とする円周方向のピストン３の回転運動と軸線方向Ｄ１のピストン３の往復運動とを複合的に行う。このとき、シャフト２２が仕切り具２１の貫通孔２６を出入りし、シャフト２２の前端２８に設けられた攪拌部２３によって粉末のペースト原料と液体とが混練される。この際に、ハンドル部２４の前端２４Ａと、仕切り具２１の後端２１Ｂが当接するまで、ハンドル部２４を押し込む。すると、攪拌部２３がシリンダ２の縮径部１７の軸線方向Ｄ１のエリア１７Ａ内に確実に入ることになる（図５，６参照）。
なお、仕切り具２１で仕切られたシリンダ２内で骨ペーストを混練するため、混練時の異物の混入が回避される。
【００２９】
作業者は、骨ペーストの混練が終了した後、ピストン３のシャフト２２を後方側に向けていっぱいに引き戻し、その状態で、シャフト２２の外周面３０に押出用ストッパ５を再度装着する（図８参照）。このとき、作業者は、押出用ストッパ５を傾斜させた状態で、第１挟持片４５Ａ，４５Ａの第１嵌着凹部３３Ａをシャフト２２の外周面３０に嵌め込む。その後、作業者は、第２挟持片４５Ｂ，４５Ｂの第２嵌着凹部３３Ｂをシャフト２２の外周面３０に嵌め込むことで、押出用ストッパ５を装着する。
【００３０】
次に、作業者は、固定部材４をフランジ部１２及び仕切り具２１から取り外す。更に、作業者は、図９に示されるように、ノズル部１３のキャップ１５を取り外した後、ハンドル部２４を前方に押すことで、ピストン３をシリンダ２内に押し込む。このとき、シリンダ２内においてシャフト２２とともに仕切り具２１が軸線方向Ｄ１に移動する。そして、シリンダ２内の骨ペーストは、仕切り具２１の移動に伴ってノズル部１３を通って外部へ圧出される。
【００３１】
本実施形態の医療用ペースト混練注入器１では、ハンドル部２４の前端２４Ａと、仕切り具２１の後端２１Ｂを当接させるだけで、シリンダ２の縮径部１７の軸線方向Ｄ１のエリア１７Ａ、すなわち、シリンダ２の先端部に攪拌部２３が到達する。よって、簡単な操作で、シリンダ２の先端部の骨ペーストを確実に混練することができる。
【００３２】
また、本実施形態の医療用ペースト混練注入器１では、ハンドル部２４の前端２４Ａの径は、仕切り具２１の後端２１Ｂの径よりも小さくされている。作業者がハンドル部２４を操作してペースト原料と液体とを混練する際には、シリンダ２を一方の手（例えば左手）で持ち、他方の手（例えば右手）でハンドル部２４を握って、ハンドル部２４を操作する。この際に、ハンドル部２４を握った他方の手には力を入れる必要があるから、他方の手は、一方の手よりも作業者に近い位置となる。すると、混練の作業中は、作業者の視点は、図７に示すような、ハンドル部２４側からの視点、即ち後側からの視点となる。この場合に、仕切り具２１の後端２１Ｂの径が、ハンドル部２４の前端２４Ａの径よりも小さい場合には、ハンドル部２４側から見て、ハンドル部２４により仕切り具２１の後端２１Ｂが隠れしまう。よって、ハンドル部２４の前端２４Ａと仕切り具２１の後端２１Ｂとが当接していることを目視にて確認しにくい。
これに対して、本構成では、図７に示されるように、仕切り具２１の後端２１Ｂの径が、ハンドル部２４の前端２４Ａの径よりも大きい。よって、ハンドル部２４側から見て、ハンドル部２４の前端２４Ａと仕切り具２１の後端２１Ｂとが当接していることを目視にて確認しやすい。
【００３３】
また、本実施形態の医療用ペースト混練注入器１では、シャフト２２の色は、仕切り具２１の色と異なり、かつシャフト２２の色は、ハンドル部２４の色とも異なる。
この構成では、シャフト２２が、仕切り具２１及びハンドル部２４と色が違うから、シャフト２２が見えているか否か容易に判断がつく。
ハンドル部２４の前端２４Ａと仕切り具２１の後端２１Ｂとが当接していない場合には、図５に示されるように、ハンドル部２４と仕切り具２１との間にシャフト２２が色違いで容易に視認されて、当接していない状態を容易に確認できる。逆に、ハンドル部２４の前端２４Ａと仕切り具２１の後端２１Ｂと当接している場合には、図６に示されるように、シャフト２２が見えない。このように本構成では、色違いのシャフト２２を用いることによってハンドル部２４の前端２４Ａと仕切り具２１の後端２１Ｂとの当接状態が判別しやすくなる。
シャフト２２は、白色以外の色で着色されているから、目立ちやすく確認が容易である。
【００３４】
また、本実施形態の医療用ペースト混練注入器１では、ハンドル部２４は、略Ｔ字状をなしている。よって、指を掛けて握りやすく、混練の作業時にも、しっかりと把持することができる。また、ハンドル部２４の分岐部２４Ｂに指を掛けて、ハンドル部２４の後端部２４Ｃに手の平を接触させるように握ることで、手の平でハンドル部２４を押し込むことができ、力を入れやすい。このようにすると、骨ペーストの混練がよく行われる。また、手の平でハンドル部２４を押し込むことで、ハンドル部２４の前端２４Ａと仕切り具２１の後端２１Ｂとが当接した場合には、手の平には当接した感触が伝わる。よって、この感触があるまで、ハンドル部２４を押し込めば、シリンダ２の先端部に攪拌部２３が到達することになる。従って、手の感触を頼っても、シリンダ２の先端部の骨ペーストを確実に混練することができる。
【００３５】
＜他の実施形態（変形例）＞
なお、この発明は上記の実施形態に限られるものではなく、その要旨を逸脱しない範囲において種々の態様において実施することが可能である。上記実施形態では、骨ペーストは、白色のペーストであったが、これに限られず白色以外の色であってもよい。
【００３６】
（１）上記実施形態では、ハンドル部２４の前端２４Ａと、仕切り具２１の後端２１Ｂが当接するように、シャフト２２の長さが規定されていることとしたが、ハンドル部２４の前端２４Ａと、固定部材４の後端が当接するように構成してもよい。この場合において、固定部材４の後端の径が、ハンドル部２４の前端２４Ａの径よりも大きいことが望ましい。この構成とすると、ハンドル部２４側から見て、ハンドル部２４の前端２４Ａと固定部材４の後端とが当接していることを目視にて確認しやすい。
（２）上記実施形態では、特定形状の第１嵌着凹部３３Ａ、及び第２嵌着凹部３３Ｂが形成された押出用ストッパ５を示したが、嵌着凹部の形状、数は適宜変更することができる。
（３）上記実施形態では、シャフト２２の色は、仕切り具２１の色と異なり、かつシャフト２２の色は、ハンドル部２４の色と異なる例を示して説明した。本発明においては、シャフト２２、仕切り具２１、ハンドル部２４の色は、特に制限されず、例えば、全て同一の色としてもよい。
【符号の説明】
【００３７】
１    …医療用ペースト混練注入器
２    …シリンダ
３    …ピストン
４    …固定部材（固定具）
４Ａ  …係合部
５    …押出用ストッパ
１０  …開口部
１１  …円筒体（筒状の本体部）
１２  …フランジ部
１３  …ノズル部
１４  …ネジ
１５  …キャップ
１６  …湾曲辺
１７  …縮径部
１７Ａ…エリア
２１  …仕切り具
２１Ａ…係合部
２１Ｂ…後端
２２  …シャフト
２３  …攪拌部
２４  …ハンドル部
２４Ａ…前端
２４Ｂ…分岐部
２４Ｃ…後端部
２６  …貫通孔
２８  …前端
２９  …後端
３０  …外周面
３３Ａ…第１嵌着凹部
３３Ｂ…第２嵌着凹部
３５  …ストッパ本体
３５Ａ…前端面
３５Ｂ…後端面
４５Ａ…第１挟持片
４５Ｂ…第２挟持片
４７  …連結支持部
４８  …内面
５２  …指掛け部
５３  …外面
６０  …平坦部
６３  …チューブ
Ｄ１  …軸線方向（軸線の方向）
【図１】
2019195433.tif 000003
【図２】
2019195433.tif 000004
【図３】
2019195433.tif 000005
【図４】
2019195433.tif 000006
【図５】
2019195433.tif 000007
【図６】
2019195433.tif 000008
【図７】
2019195433.tif 000009
【図８】
2019195433.tif 000010
【図９】
2019195433.tif 000011